(57)【要約】【課題】エラーの冗長な通知を抑制することができるファクシミリ装置を提供する。【解決手段】ファクシミリ装置１は、ファクシミリ通信部９、記憶装置１１、画像形成部５、通知部２、及び制御部１０を備える。通知部２は、画像形成部５が画像形成処理を実行できないハードエラーが発生すると、ハードエラーが発生した旨を通知する。制御部１０は、ファクシミリ通信部９が受信した受信データが記憶装置１１に記憶されてからの時間を示す第１待機時間を計時する。制御部１０は、第１待機時間が第１閾値よりも大きくなると、ハードエラー判定処理を実行する。通知部２は、ハードエラーが発生していないと判定された場合、メッセージを通知し、ハードエラーが発生していると判定された場合、メッセージを通知しない。メッセージは、ファクシミリ画像データに基づく画像形成処理が実行されていない旨を示す。【選択図】図３
2018014636.tif 000002
【特許請求の範囲】
【請求項１】
公衆回線を介して外部ファクシミリ装置とデータの通信を行うファクシミリ通信部と、
前記ファクシミリ通信部が受信した受信データを記憶する記憶装置と、
前記記憶装置に記憶された前記受信データに含まれるファクシミリ画像データに基づいて、シートに画像形成処理を実行する画像形成部と、
前記画像形成部が前記画像形成処理を実行できないハードエラーが発生すると、前記ハードエラーが発生した旨を通知する通知部と、
前記通知部の動作を制御する制御部と
を備え、
前記制御部は、前記受信データが前記記憶装置に記憶されてからの時間を示す第１待機時間を計時し、
前記制御部は、前記第１待機時間が第１閾値よりも大きくなると、前記ハードエラーが発生しているか否かを判定するハードエラー判定処理を実行し、
前記通知部は、前記ハードエラー判定処理の結果、前記ハードエラーが発生していないと判定された場合、前記ファクシミリ画像データに基づく前記画像形成処理が実行されていない旨を示すメッセージを通知し、前記ハードエラーが発生していると判定された場合、前記メッセージを通知しない、ファクシミリ装置。
【請求項２】
前記制御部は、前記ハードエラー判定処理の結果、前記ハードエラーが発生していると判定すると、前記第１待機時間の計時をリセットする、請求項１に記載のファクシミリ装置。
【請求項３】
前記制御部は、前記第１待機時間をリセットした後に、前記ハードエラーが解消したと判定すると、前記ハードエラーが解消してからの時間を示す第２待機時間の計時を開始し、前記第２待機時間が前記第１閾値よりも大きくなると、前記ハードエラー判定処理を実行する、請求項２に記載のファクシミリ装置。
【請求項４】
前記シートを複数枚収容可能なカセットを有し、前記シートを前記カセットから前記画像形成部へ給紙する給紙部を更に備え、
前記ハードエラーは、前記カセットに前記シートが収容されていないことに起因して発生するエラーを含む、請求項１〜請求項３のいずれか１項に記載のファクシミリ装置。
【請求項５】
前記シートの搬送路を構成する搬送装置を更に備え、
前記ハードエラーは、前記搬送路に前記シートが詰まることに起因して発生するエラーを含む、請求項１〜請求項４のいずれか１項に記載のファクシミリ装置。
【請求項６】
筐体と、
前記筐体に形成された開口を覆い、開閉自在な外装カバーと
を更に備え、
前記ハードエラーは、前記外装カバーが開いていることに起因するエラーを含む、請求項１〜請求項５のいずれか１項に記載のファクシミリ装置。
【請求項７】
前記制御部は、前記受信データに含まれる送信元を示す送信元情報を取得し、
前記通知部は、予め設定された宛先情報と前記送信元情報とが一致する場合に前記メッセージを通知する、請求項１〜請求項６のいずれか１項に記載のファクシミリ装置。
【請求項８】
現在時刻を管理する時計部を更に備え、
前記制御部は、前記時計部から前記現在時刻を取得し、
前記通知部は、前記制御部が取得した前記現在時刻が第１時刻と前記第１時刻よりも遅い第２時刻との間の時刻である場合に前記メッセージを通知する、請求項１〜請求項７のいずれか１項に記載のファクシミリ装置。
【請求項９】
請求項１〜請求項８のいずれか１項に記載のファクシミリ装置を備える画像形成装置。
【請求項１０】
前記制御部は、待機ジョブの数を示すジョブ待機数をカウントし、
前記通知部は、前記ジョブ待機数が第２閾値以下の場合、前記メッセージを通知し、前記ジョブ待機数が前記第２閾値よりも大きい場合、前記メッセージを通知しない、請求項９に記載の画像形成装置。
【発明の詳細な説明】
【技術分野】
【０００１】
本発明は、ファクシミリ装置、及びそれを備えた画像形成装置に関する。
【背景技術】
【０００２】
近年、メモリ受信機能を有するファクシミリ装置が普及している。メモリ受信機能は、受信した受信データを一旦記憶装置に記憶し、記憶装置に記憶された受信データに基づいてシート等に画像を形成する機能である。例えば、特許文献１に記載のファクシミリ装置は、シート詰まり及びシート切れのようなエラーが発生すると、受信データを一旦記憶装置に記憶させて、表示部にエラーの内容を示す情報を表示する。その後、エラーが解消すると、受信データに基づいてシートに画像が形成される。
【先行技術文献】
【特許文献】
【０００３】
【特許文献１】特開２００３―３１９１１９号公報
【発明の概要】
【発明が解決しようとする課題】
【０００４】
ところで、シートに画像が形成できない原因には、シート詰まり及びシート切れのような、ユーザーが対応できるハードエラー（エンジンエラー）以外にも、例えば、システムエラーのようなエラーがある。特許文献１に記載のファクシミリ装置に、システムエラーを通知する構成を追加すると、シート詰まり及びシート切れのようなハードエラーの内容に加えて、システムエラーが発生した旨を示すメッセージが表示される場合がある。この結果、エラーの通知が冗長となる虞がある。
【０００５】
本発明は、上記課題に鑑み、エラーの冗長な通知を抑制するファクシミリ装置、及びそれを備えた画像形成装置を提供することを目的とする。
【課題を解決するための手段】
【０００６】
本発明のファクシミリ装置は、ファクシミリ通信部と、記憶装置と、画像形成部と、通知部と、制御部とを備える。前記ファクシミリ通信部は、公衆回線を介して外部ファクシミリ装置とデータの通信を行う。前記記憶装置は、前記ファクシミリ通信部が受信した受信データを記憶する。前記画像形成部は、前記記憶装置に記憶された前記受信データに含まれるファクシミリ画像データに基づいて、シートに画像形成処理を実行する。前記通知部は、前記画像形成部が前記画像形成処理を実行できないハードエラーが発生すると、前記ハードエラーが発生した旨を通知する。前記制御部は、前記通知部の動作を制御する。前記制御部は、前記受信データが前記記憶装置に記憶されてからの時間を示す第１待機時間を計時する。前記制御部は、前記第１待機時間が第１閾値よりも大きくなると、前記ハードエラーが発生しているか否かを判定するハードエラー判定処理を実行する。前記通知部は、前記ハードエラー判定処理の結果、前記ハードエラーが発生していないと判定された場合、前記ファクシミリ画像データに基づく前記画像形成処理が実行されていない旨を示すメッセージを通知する。前記通知部は、前記ハードエラーが発生していると判定された場合、前記メッセージを通知しない。
【０００７】
本発明の画像形成装置は、上記のファクシミリ装置を備える。
【発明の効果】
【０００８】
本発明によれば、エラーの冗長な通知を抑制することができる。
【図面の簡単な説明】
【０００９】
【図１】（ａ）及び（ｂ）は、本発明の実施形態１に係る画像形成装置の外観を示す図である。
【図２】本発明の実施形態１に係る画像形成装置の構成を示す図である。
【図３】本発明の実施形態１に係る画像形成装置のブロック図である。
【図４】本発明の実施形態１に係る液晶ディスプレーに表示されるメッセージを示す図である。
【図５】本発明の実施形態１に係るメッセージ表示処理を示すフローチャートである。
【図６】本発明の実施形態２に係るメッセージ表示処理を示すフローチャートである。
【図７】本発明の実施形態２に係る表示判定処理を示すフローチャートである。
【図８】本発明の実施形態３に係る画像形成装置のブロック図である。
【図９】本発明の実施形態３に係る表示判定処理を示すフローチャートである。
【図１０】本発明の実施形態４に係る表示判定処理を示すフローチャートである。
【発明を実施するための形態】
【００１０】
以下、図面を参照して、本発明に係るファクシミリ装置及び画像形成装置の実施形態について説明する。なお、図中、同一又は相当部分については同一の参照符号を付して説明を繰り返さない。また、図面は、理解しやすくするために、それぞれの構成要素を主体に模式的に示している。
【００１１】
［実施形態１］
まず、図１（ａ）及び図１（ｂ）を参照して、実施形態１に係る画像形成装置１００の外観について説明する。図１（ａ）及び図１（ｂ）は、実施形態１に係る画像形成装置１００の外観を示す図である。詳しくは、図１（ａ）は、外装カバー１ａが閉じた状態の画像形成装置１００を示し、図１（ｂ）は、外装カバー１ａが開いた状態の画像形成装置１００を示す。図１（ａ）及び図１（ｂ）に示す画像形成装置１００は、複合機である。
【００１２】
図１（ａ）及び図１（ｂ）に示すように、画像形成装置１００は、筐体１００ａ、カバー部１、及び操作部２を備える。カバー部１は、外装カバー１ａ、及び開閉検知スイッチ１ｂを有する。外装カバー１ａは、筐体１００ａに形成された開口１００ｂを覆うように配置される。外装カバー１ａは開閉自在である。開閉検知スイッチ１ｂは、外装カバー１ａの姿勢（開閉）を検知して、開閉検知信号を生成する。
【００１３】
操作部２は、液晶ディスプレー２１及び複数の操作キー２２を含む。液晶ディスプレー２１は、エラーが発生した旨などの各種処理結果を表示する。操作キー２２は、例えば、テンキー、及びスタートキーを含む。ユーザーは、複数の操作キー２２を操作することによって、画像形成装置１００に対する指示を入力することができる。操作部２は、ユーザーからの指示を受け付けると、ユーザーからの指示を示す信号を生成する。本実施形態において、ユーザーは、操作部２を操作することによって、例えば、コピーの開始を画像形成装置１００に指示することができる。操作部２は、コピーの開始を示す指示を受け付けると、コピーの開始を示す信号を生成する。なお、操作部２は、「通知部」の一例である。
【００１４】
次に、図１及び図２を参照して、実施形態１に係る画像形成装置１００の構成について更に説明する。図２は、実施形態１に係る画像形成装置１００の構成を示す図である。
【００１５】
図２に示すように、画像形成装置１００は、スキャナー３、給紙部４、画像形成部５、定着装置６、排出部７、搬送装置８、及び制御部１０を更に備える。
【００１６】
スキャナー３は、原稿台３１及び読取機構３２を備える。読取機構３２は、原稿台３１の上に載置された原稿の画像を読み取って、原稿の画像データを示す信号を生成する。原稿の画像データを示す信号は、制御部１０へ送信される。
【００１７】
給紙部４は、２つの給紙カセット４１、２つの給紙ローラー４２、及び２つの残量検知センサー４３を有する。各給紙カセット４１は、複数枚のシートＳを収容可能である。各給紙ローラー４２及び各残量検知センサー４３は、対応する給紙カセット４１に対して設けられる。各給紙ローラー４２は、対応する給紙カセット４１に収容されたシートＳを１枚ずつ搬送装置８へ給紙する。各残量検知センサー４３は、対応する給紙カセット４１内のシートＳの有無を検知する。各残量検知センサー４３は、シートＳの有無を示すシート残量信号を制御部１０へ送信する。各残量検知センサー４３は、例えば、反射型のセンサーである。
【００１８】
画像形成部５は、画像データに基づいてシートＳに画像を形成する。以下、画像データに基づいてシートＳに画像を形成する処理を「画像形成処理」と記載する場合がある。画像形成部５は、露光装置５１、帯電装置５２、現像装置５３、感光体ドラム５４、及び転写ローラー５５を備える。帯電装置５２は、感光体ドラム５４を帯電させる。露光装置５１は、帯電した感光体ドラム５４にレーザー光を照射する。これにより、感光体ドラム５４の表面に静電潜像が形成される。現像装置５３は、感光体ドラム５４の表面に形成された静電潜像を現像してトナー像を形成する。
【００１９】
転写ローラー５５は、感光体ドラム５４に対向して配置され、感光体ドラム５４の表面に形成されたトナー像をシートＳに転写する。換言すると、シートＳに画像が印刷される。
【００２０】
定着装置６は、加熱部材６１、及び加圧部材６２を備える。加熱部材６１、及び加圧部材６２は互いに対向して配置され、定着ニップを形成する。画像形成部５から搬送されたシートＳは、定着ニップを通過することにより加熱、及び加圧される。この結果、トナー像がシートＳに定着する。シートＳは、搬送装置８によって定着装置６から排出部７へ向けて搬送される。
【００２１】
排出部７は、排出ローラー対７１及び排出トレイ７２を有する。排出ローラー対７１は、排出口１００ｃを介してシートＳを排出トレイ７２へ排出する。排出口１００ｃは、筐体１００ａの上部に形成される。
【００２２】
搬送装置８は、複数のローラー対８１、複数のガイド部材８２、及び複数のシート検知センサー８３を備える。複数のローラー対８１、及び複数のガイド部材８２は、シートＳの搬送路を構成する。複数のシート検知センサー８３は、搬送路に沿って配置される。各シート検知センサー８３は、搬送路に沿って搬送されるシートＳを検知する。各シート検知センサー８３は、シートＳの有無を示すシート検知信号を制御部１０へ送信する。各シート検知センサー８３は、例えば、透過型センサーである。
【００２３】
搬送装置８は、給紙部４から排出部７までシートＳを搬送する。シートＳは、画像形成部５及び定着装置６を経由するように搬送される。
【００２４】
制御部１０は、画像形成装置１００が備える各部が生成した信号を受信する。制御部１０は、画像形成装置１００が備える各部から送信される信号に基づいて、画像形成装置１００が備える各部の動作を制御する。
【００２５】
制御部１０は、画像形成装置１００が備える各部の状態を監視する。詳しくは、制御部１０は、画像形成装置１００が備える各部から送信される信号に基づいて、ハードエラーの発生を検知する。制御部１０は、ハードエラーの発生を検知すると、図１を参照して説明した液晶ディスプレー２１にハードエラーが発生した旨を表示させる。
【００２６】
本実施形態において、ハードエラーは、シート切れエラー、ジャムエラー、及びカバーオープンエラーを含む。
【００２７】
シート切れエラーは、いずれかの給紙カセット４１にシートＳが収容されていないことに起因して発生する。制御部１０は、画像形成処理時に、各残量検知センサー４３から送信されるシート残量信号に基づいて、シート切れエラーの発生を検知する。詳しくは、制御部１０は、いずれかのシート残量信号が、対応する給紙カセット４１にシートＳが無い旨を示すと、シート切れエラーの発生を検知する。制御部１０は、シート切れエラーの発生を検知すると、シートＳが無い旨を液晶ディスプレー２１に表示させる。
【００２８】
ジャムエラーは、搬送路にシートＳが詰まることに起因して発生する。制御部１０は、画像形成処理時に、複数のシート検知センサー８３から送信されるシート検知信号に基づいてジャムエラーの発生を検知する。詳しくは、制御部１０は、複数のシート検知信号に基づいて、搬送路にシートＳが詰まっているか否かを判定する。制御部１０は、搬送路にシートＳが詰まっていると判定すると、ジャムエラーの発生を検知する。制御部１０は、ジャムエラーの発生を検知すると、ジャムが発生している旨を液晶ディスプレー２１に表示させる。
【００２９】
カバーオープンエラーは、外装カバー１ａが開いていることに起因して発生する。制御部１０は、画像形成処理時に、図１（ａ）及び図１（ｂ）を参照して説明した開閉検知スイッチ１ｂから送信される開閉検知信号に基づいて、カバーオープンエラーの発生を検知する。詳しくは、外装カバー１ａが開いた姿勢である旨を開閉検知信号が示すと、カバーオープンエラーの発生を検知する。開閉検知信号は、開閉検知スイッチ１ｂから制御部１０へ送信される。
【００３０】
続いて、図３を参照して、実施形態１に係る画像形成装置１００の構成について更に説明する。図３は、実施形態１に係る画像形成装置１００を示すブロック図である。
【００３１】
図３に示すように、画像形成装置１００は、ファクシミリ通信部９、及び記憶装置１１を更に備える。
【００３２】
ファクシミリ通信部９は、公衆回線網Ｎを介して外部ファクシミリ装置２００とデータの通信を行う。以下では、ファクシミリ通信部９が外部ファクシミリ装置２００から受信したデータを受信データと記載し、ファクシミリ通信部９が外部ファクシミリ装置２００へ送信するデータを送信データと記載する。本実施形態において、受信データは、画像データ、及び送信元情報を含む。以下では、受信データに含まれる画像データを「ファクシミリ画像データ」と記載する。
【００３３】
ファクシミリ通信部９は、ＮＣＵ（Ｎｅｔｗｏｒｋ  Ｃｏｎｔｒｏｌ  Ｕｎｉｔ）９１、モデム９２、符号化／復号化部９３を有する。
【００３４】
ＮＣＵ９１は、外部ファクシミリ装置２００との接続を制御する。本実施形態において、ＮＣＵ９１は、公衆回線網Ｎを介した外部ファクシミリ装置２００からの着呼を検出し、着呼を示す信号を制御部１０へ送信する。
【００３５】
モデム９２は、アナログ信号からデジタル信号への復調、及びデジタル信号からアナログ信号への変調を実行する。本実施形態において、モデム９２は、外部ファクシミリ装置２００から受信したアナログ信号をデジタル信号に復調する。
【００３６】
符号化／復号化部９３は、デジタル信号の符号化、及びデジタル信号の復号化を実行する。本実施形態において、符号化／復号化部９３は、モデム９２が復調したデジタル信号を復号化する。
【００３７】
記憶装置１１は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶装置１１は、画像形成装置１００の各部の動作を制御するための制御プログラムを記憶する。制御プログラムは、制御部１０によって実行される。
【００３８】
また、記憶装置１１は、ハードエラーフラグを記憶する。ハードエラーフラグは、画像形成装置１００においてハードエラーが発生しているか否かを示すフラグである。ハードエラーフラグは、シート切れフラグ、ジャムフラグ、及びカバーオープンフラグを含む。
【００３９】
制御部１０は、ＣＰＵ（Ｃｅｎｔｒａｌ  Ｐｒｏｃｅｓｓｉｎｇ  Ｕｎｉｔ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成される。制御部１０は、記憶装置１１に記憶された制御プログラムを実行することによって、画像形成装置１００の各部の動作を制御する。
【００４０】
制御部１０は、ハードエラーを検知すると、ハードエラーフラグをＯＮにし、ハードエラーの解消を検知すると、ハードエラーフラグをＯＦＦにする。本実施形態において、制御部１０は、シート切れエラーの発生を検知すると、シート切れフラグをＯＮにする。制御部１０は、シート切れエラーの解消を検知すると、シート切れフラグをＯＦＦにする。また、制御部１０は、ジャムエラーの発生を検知すると、ジャムフラグをＯＮにする。制御部１０は、ジャムエラーの解消を検知すると、ジャムフラグをＯＦＦにする。更に、制御部１０は、カバーオープンエラーの発生を検知すると、カバーオープンフラグをＯＮにする。制御部１０は、カバーオープンエラーの解消を検知すると、カバーオープンフラグをＯＦＦにする。
【００４１】
制御部１０は、ファクシミリ通信部９が外部ファクシミリ装置２００からデータ（受信データ）を受信すると、受信データを記憶装置１１に記憶させる。
【００４２】
制御部１０は、記憶装置１１に受信データが記憶されると、受信データの第１待機時間を計時するとともに、画像形成可能判定処理を実行する。画像形成可能判定処理は、受信データに含まれる画像データに基づく画像形成処理を画像形成部５が実行できるか否かを判定する処理である。第１待機時間は、受信データが記憶装置１１に記憶されてからの時間を示す。
【００４３】
制御部１０は、ファクシミリ画像データに基づく画像形成処理を画像形成部５が実行できると判定すると、ファクシミリ画像データに基づく画像形成処理を画像形成部５に実行させる。この結果、シートＳにファクシミリ画像が形成（印刷）される。ファクシミリ画像データに基づいて画像形成処理が実行されると、記憶装置１１に記憶された受信データは、記憶装置１１から削除される。一方、制御部１０は、ファクシミリ画像データに基づいて画像形成処理が実行できないと判定すると、第１待機時間が第１閾値よりも大きいか否かの判定を行う。第１閾値は、第１待機時間に対して設定された値を示す。第１閾値は、記憶装置１１に予め記憶されている。
【００４４】
制御部１０は、待機時間が第１閾値よりも大きいと判定すると、ハードエラー判定処理を実行する。ハードエラー判定処理は、画像形成装置１００においてハードエラーが発生しているか否かを判定する処理である。詳しくは、制御部１０は、記憶装置１１に記憶されたシート切れフラグ、ジャムフラグ、及びカバーオープンフラグのうちのいずれか１つがＯＮであるか否かを判定する。
【００４５】
制御部１０は、ハードエラー判定処理の結果、ハードエラーが発生していないと判定すると、受信データが印刷されていない旨を示すメッセージを液晶ディスプレー２１に表示させる。この時、システムエラーのような、ハードエラー以外のエラーが発生している。なお、受信データが印刷されていない旨を示すメッセージは、ハードエラー判定処理の結果、ハードエラーが発生していないと判定された場合にのみ液晶ディスプレー２１に表示される。
【００４６】
一方、制御部１０は、ハードエラー判定処理の結果、ハードエラーが発生していると判定すると、第１待機時間をリセットする。制御部１０は、第１待機時間をリセットした後に、ハードエラーの解消を検知すると、第２待機時間の計時を開始するとともに、画像形成可能判定処理を実行する。第２待機時間は、ハードエラーが解消してからの時間を示す。
【００４７】
制御部１０は、画像形成可能判定処理の結果、ファクシミリ画像データに基づいて画像形成処理が実行できないと判定すると、第２待機時間が第１閾値よりも大きいか否かの判定を行う。
【００４８】
制御部１０は、第２待機時間が第１閾値よりも大きいと判定すると、ハードエラー判定処理を実行する。制御部１０は、ハードエラー判定処理の結果、ハードエラーが発生していないと判定すると、受信データが印刷されていない旨を示すメッセージを液晶ディスプレー２１に表示させる。一方、制御部１０は、ハードエラー判定処理の結果、ハードエラーが発生していると判定すると、第２待機時間をリセットする。制御部１０は、第２待機時間をリセットした後に、ハードエラーの解消を検知すると、第２待機時間の計時、及び画像形成可能判定処理を再び実行する。以降、同様の処理が繰り返される。
【００４９】
図４は、実施形態１に係る液晶ディスプレー２１に表示されるメッセージＭを示す図である。図４に示すように、液晶ディスプレー２１には、メッセージＭが表示される。図４に示す例では、メッセージＭは、「印刷されていないファクシミリがあります。」である。
【００５０】
続いて、図１〜図５を参照して、実施形態１に係るメッセージ表示処理について説明する。図５は、実施形態１に係るメッセージ表示処理を示すフローチャートである。メッセージ表示処理は、受信データが記憶装置１１に記憶されると開始される。あるいは、メッセージ表示処理は、ハードエラーの解消を制御部１０が検知すると開始される。ハードエラーの解消を検知したときのメッセージ表示処理は、受信データが記憶装置１１に記憶されたときに開始されるメッセージ表示処理と同様の処理である。このため、以下では、受信データが記憶装置１１に記憶されたときに開始されるメッセージ表示処理について説明し、ハードエラーの解消を検知したときのメッセージ表示処理についての説明は、割愛する。
【００５１】
図５に示すように、制御部１０は、第１待機時間の計時を開始する（ステップＳ１０２）。次いで、制御部１０は、ファクシミリ画像データに基づく画像形成処理が実行できるか否かを判定する（ステップＳ１０４）。制御部１０は、ファクシミリ画像データに基づく画像形成処理が実行できると判定した場合（ステップＳ１０４：Ｙｅｓ）、ファクシミリ画像データに基づく画像形成処理を画像形成部５に実行させる（ステップＳ１０６）。次いで、第１待機時間が制御部１０によってリセットされて（ステップＳ１０８）、メッセージ表示処理が終了する。
【００５２】
制御部１０は、ファクシミリ画像データに基づく画像形成処理が実行できないと判定した場合（ステップＳ１０４：Ｎｏ）、第１待機時間が第１閾値よりも大きいか否かを判定する（ステップＳ１１０）。第１待機時間が第１閾値よりも大きくないと制御部１０によって判定された場合（ステップＳ１１０：Ｎｏ）、メッセージ表示処理は、ステップＳ１０４へ戻る。一方、制御部１０は、第１待機時間が第１閾値よりも大きいと判定した場合（ステップＳ１１０：Ｙｅｓ）、ハードエラー判定処理を実行する（ステップＳ１１２）。
【００５３】
制御部１０が、ハードエラー判定処理の結果、ハードエラーが発生していると判定した場合（ステップＳ１１２：Ｙｅｓ）、第１待機時間が制御部１０によってリセットされて（ステップＳ１０８）、メッセージ表示処理が終了する。一方、ハードエラー判定処理の結果、ハードエラーが発生していないと制御部１０によって判定された場合（ステップＳ１１２：Ｎｏ）、液晶ディスプレー２１にメッセージＭが制御部１０によって表示されて（ステップＳ１１４）、メッセージ表示処理が終了する。
【００５４】
以上、実施形態１について説明した。本実施形態によれば、ハードエラーが発生している場合、即ち、ハードエラーが発生している旨が液晶ディスプレー２１に表示されている場合、メッセージＭは、液晶ディスプレー２１に表示されない。したがって、エラーの冗長な通知を抑制することができる。
【００５５】
［実施形態２］
続いて、図３、図６、及び図７を参照して、実施形態２に係る画像形成装置１００について説明する。実施形態２は、メッセージ表示判定処理が実施形態１と異なる。以下、実施形態２について実施形態１と異なる事項を説明し、実施形態１と重複する事項の説明は割愛する。
【００５６】
本実施形態において、制御部１０は、受信データに含まれる送信元情報を取得し、送信元情報が宛先情報と一致するか否かを更に判定する。宛先情報は、記憶装置１１に予め記憶されている。
【００５７】
次に、図６を参照して、実施形態２に係るメッセージ表示処理について説明する。図６は、実施形態２に係るメッセージ表示処理を示すフローチャートである。図６に示すメッセージ表示処理のフローチャートでは、実施形態１において説明したメッセージ表示処理のフローチャート（図５参照）と比べて、ステップＳ１１４がステップＳ２０２に変更されている。
【００５８】
図６に示すように、ハードエラー判定処理の結果、ハードエラーが発生していないと制御部１０によって判定された場合（ステップＳ１１２：Ｎｏ）、メッセージＭの表示判定処理が制御部１０によって実行されて（ステップＳ２０２）、メッセージ表示処理が終了する。
【００５９】
続いて、図７を参照して、メッセージＭの表示判定処理について説明する。図７は、実施形態２に係る表示判定処理を示すフローチャートである。
【００６０】
図７に示すように、制御部１０は、記憶装置１１に記憶された受信データに含まれる送信元情報を取得する（ステップＳ３０２）。次いで、制御部１０は、宛先情報を記憶装置１１から取得する（ステップＳ３０４）。次いで、制御部１０は、送信元情報が宛先情報と一致するか否かを判定する（ステップＳ３０６）。送信元情報が宛先情報と一致すると制御部１０によって判定された場合（ステップＳ３０６：Ｙｅｓ）、液晶ディスプレー２１にメッセージＭが制御部１０によって表示されて（ステップＳ３０８）、表示判定処理が終了する。一方、送信元情報が宛先情報と一致しないと制御部１０によって判定された場合（ステップＳ３０６：Ｎｏ）、メッセージＭが表示されることなく、表示判定処理は終了する。なお、ステップＳ３０２及びステップＳ３０４の順序は相互に入れ替え可能である。
【００６１】
以上、実施形態２について説明した。本実施形態によれば、予め設定された宛先情報と一致する送信元からのファックスに対してのみ、メッセージＭが表示される。この結果、例えば、広告のような不要なファックスに対してメッセージＭが表示されないようにすることができる。この結果、メッセージＭの無駄な表示を抑制することができる。
【００６２】
［実施形態３］
続いて、図６、図８、及び図９を参照して、実施形態３に係る画像形成装置１００について説明する。実施形態３では、メッセージ表示処理が実施形態１、及び実施形態２と異なる。以下、実施形態３について実施形態１及び実施形態２と異なる事項を説明し、実施形態１、及び実施形態２と重複する事項の説明は割愛する。
【００６３】
まず図８を参照して、実施形態１に係る画像形成装置１００の構成について説明する。図８は、実施形態３に係る画像形成装置１００の構成を示すブロック図である。図８に示すように、画像形成装置１００は、現在時刻を管理する時計部１２を更に備える。
【００６４】
本実施形態において、制御部１０は、時計部１２が示す現在時刻を取得して、現在時刻が第１時刻よりも遅く、且つ現在時刻が第２時刻よりも早いか否かを更に判定する。第２時刻は、第１時刻よりも遅い時刻である。換言すると、制御部１０は、現在時刻が第１時刻と第２時刻との間の時刻であるか否かを判定する。第１時刻及び第２時刻は、記憶装置１１に予め記憶されている。第１時刻は、例えば、「ＰＭ１１：００」であり、第２時刻は、例えば、「ＡＭ８：００」である。
【００６５】
実施形態３に係るメッセージ表示処理は、実施形態２と比べて、表示判定処理（ステップＳ２０２）が異なる（図６参照）。
【００６６】
続いて、図９を参照して、実施形態３に係るメッセージＭの表示判定処理について説明する。図９は、実施形態３に係る表示判定処理を示すフローチャートである。
【００６７】
図９に示すように、制御部１０は、時計部１２が示す現在時刻を取得する（ステップＳ４０２）。次いで、制御部１０は、第１時刻及び第２時刻を取得する（ステップＳ４０４）。次いで、制御部１０は、現在時刻が第１時刻よりも遅く、且つ現在時刻が第２時刻よりも早いか否かを判定する（ステップＳ４０６）。現在時刻が第１時刻よりも遅く、且つ現在時刻が第２時刻よりも早いと制御部１０によって判定されると（ステップＳ４０６：Ｙｅｓ）、メッセージＭが表示されることなく、表示判定処理が終了する。一方、現在時刻が第１時刻よりも遅くない、又は現在時刻が第２時刻よりも早くないと制御部１０によって判定されると（ステップＳ４０６：Ｎｏ）、液晶ディスプレー２１にメッセージＭが制御部１０によって表示されて（ステップＳ３０８）、表示判定処理が終了する。なお、ステップＳ４０２及びステップＳ４０４の順序は相互に入れ替え可能である。
【００６８】
以上、実施形態３について説明した。本実施形態によれば、第１時刻よりも遅く、且つ第２時刻よりも早い時間帯において、液晶ディスプレー２１にメッセージＭが表示されない。したがって、例えば、夜間などのユーザーが不在の時間帯にメッセージＭを表示させないようにすることができる。この結果、メッセージＭの無駄な表示を抑制することができる。
【００６９】
［実施形態４］
続いて、図３、図６、及び図１０を参照して、実施形態４に係る画像形成装置１００について説明する。実施形態４では、メッセージ表示処理が実施形態１〜実施形態３と異なる。以下、実施形態４について実施形態１〜実施形態３と異なる事項を説明し、実施形態１〜実施形態３と重複する事項の説明は割愛する。
【００７０】
本実施形態において、制御部１０は、待機ジョブの数（以下、ジョブ待機数と記載する）をカウントする。ジョブは、画像形成処理を実行させるデータであり、画像データを含む。ジョブは、画像形成装置１００に入力されると記憶装置１１に記憶される。制御部１０は、記憶装置１１からジョブを読み出して、読み出したジョブに含まれる画像データに基づく画像形成処理を画像形成部５に実行させる。換言すると、制御部１０がジョブを実行することにより、画像形成処理が実行される。ジョブの種類としては、スキャナー３によって読み取られた画像データを含むジョブ、及びファクシミリ画像データを含むファクシミリジョブ（受信データ）がある。待機ジョブは、画像形成装置１００に入力されたが、制御部１０によって未だ実行されていないジョブである。本実施形態では、現在メッセージ表示処理の対象とされているファクシミリジョブよりも前に画像形成装置１００に入力された待機ジョブと、現在メッセージ表示処理の対象とされているファクシミリジョブとが、ジョブ待機数にカウントされる対象となる。
【００７１】
制御部１０は、ジョブ待機数が第２閾値以下である場合にのみ液晶ディスプレー２１にメッセージＭを表示させる。第２閾値は、ジョブ待機数に対して予め設定された値を示す。第２閾値は、記憶装置１１に予め記憶されている。本実施形態において、第２閾値として「１」が設定される。換言すると、制御部１０は、現在メッセージ表示処理の対象とされているファクシミリジョブよりも前に画像形成装置１００に入力された待機ジョブが存在する場合、液晶ディスプレー２１にメッセージＭを表示させない。
【００７２】
実施形態４に係るメッセージ表示処理は、実施形態２及び実施形態３と比べて表示判定処理（ステップＳ２０２）が異なる（図６参照）。
【００７３】
続いて、図１０を参照して、実施形態４に係るメッセージＭの表示判定処理について説明する。図１０は、実施形態４に係る表示判定処理を示すフローチャートである。
【００７４】
図１０に示すように、制御部１０は、ジョブ待機数を取得する（ステップＳ５０２）。次いで、制御部１０は、第２閾値を取得する（ステップＳ５０４）。次いで、制御部１０が、ジョブ待機数が第２閾値以下であるか否かを判定する（ステップＳ５０６）。制御部１０が、ジョブ待機数が第２閾値以下であると判定すると（ステップＳ５０６：Ｙｅｓ）、液晶ディスプレー２１にメッセージＭが制御部１０によって表示されて（ステップＳ３０８）、表示判定処理が終了する。一方、ジョブ待機数が第２閾値以下ではないと制御部１０によって判定されると（ステップＳ５０６：Ｎｏ）、メッセージＭが表示されることなく、表示判定処理が終了する。
【００７５】
以上、実施形態４について説明した。本実施形態によれば、画像形成処理の実行を待つ画像データがある場合、すなわち、画像形成処理に対する待ち行列が発生している場合、制御部１０は、液晶ディスプレー２１にメッセージＭを表示させない。この結果、メッセージＭの無駄な表示を抑制することができる。
【００７６】
以上、本発明の実施形態について、図面（図１〜図１０）を参照しながら説明した。但し、本発明は、上記の実施形態に限られるものではなく、その要旨を逸脱しない範囲で種々の態様において実施することが可能である。
【００７７】
例えば、本発明の実施形態では、複合機に本発明が適用される場合を例に説明したが、本発明は、ファクシミリ装置にも適用可能である。
【００７８】
なお、各実施形態１〜４において説明した事項は、適宜組み合わせ可能である。例えば、実施形態２において説明した構成と、実施形態３において説明した構成とを組み合わせてもよい。この場合、送信元情報が宛先情報と一致し、且つ現在時刻が第１時刻と第２時刻との間の時刻である場合にのみ、液晶ディスプレー２１にメッセージＭが表示される。
【産業上の利用可能性】
【００７９】
本発明は、画像形成装置の分野に利用可能である。
【符号の説明】
【００８０】
２        通知部
５        画像形成部
９        ファクシミリ通信部
１０      制御部
１１      記憶装置
１００    ファクシミリ装置
【図１】
2018014636.tif 000003
【図２】
2018014636.tif 000004
【図３】
2018014636.tif 000005
【図４】
2018014636.tif 000006
【図５】
2018014636.tif 000007
【図６】
2018014636.tif 000008
【図７】
2018014636.tif 000009
【図８】
2018014636.tif 000010
【図９】
2018014636.tif 000011
【図１０】
2018014636.tif 000012